(57)【特許請求の範囲】
【請求項１】
洗浄工程と乾燥工程を実施可能な食器洗い乾燥機であって、
洗浄槽と、
洗浄槽の内部の水または空気を加熱するヒータと、
洗浄槽の外部から洗浄槽の内部へ連通する吸気経路と、
洗浄槽の内部から食器洗い乾燥機の外部へ連通する排気経路と、
吸気経路に設けられたファンを備えており、
洗浄工程では、ヒータで加熱された水を噴射して食器を洗浄し、
乾燥工程では、ヒータで加熱された空気をファンで送風して食器を乾燥させ、
ファンのＯＮ故障が検出された場合に、ヒータの加熱能力を低減させた状態で洗浄工程を実施可能とする、食器洗い乾燥機。
【請求項２】
ファンのＯＮ故障が検出された場合に、洗浄工程の回数および／または時間を増加させた状態で洗浄工程を実施可能とする、請求項１の食器洗い乾燥機。
【請求項３】
ファンのＯＮ故障が検出された場合に、乾燥工程を通常通り実施可能とする、請求項１または２の食器洗い乾燥機。
【請求項４】
ファンのＯＦＦ故障が検出された場合に、乾燥工程を実施不能とする、請求項１から３の何れか一項の食器洗い乾燥機。
【発明の詳細な説明】
【技術分野】
【０００１】
本発明は、食器洗い乾燥機に関する。
【背景技術】
【０００２】
特許文献１に食器洗い乾燥機が開示されている。この食器洗い乾燥機は、洗浄工程と乾燥工程を実施可能である。この食器洗い乾燥機は、洗浄工程では、ヒータで加熱された水を噴射して食器を洗浄する。この食器洗い乾燥機は、乾燥工程では、ヒータで加熱された空気をファンで送風して食器を乾燥させる。
【先行技術文献】
【特許文献】
【０００３】
【特許文献１】特開２００９−２４７４５８号公報
【発明の概要】
【発明が解決しようとする課題】
【０００４】
食器洗い乾燥機のファンが故障してしまうことがある。従来の食器洗い乾燥機では、ファンの故障が検出されると、ユーザにファンが故障していることを報知し、サービスマンが故障したファンの修理・交換を行うまでは、洗浄工程や乾燥工程などの運転を全て実施不能としている。しかしながら、故障したファンの修理・交換を行うまで食器洗い乾燥機を全く利用できなくしてしまうと、ユーザの利便性を損なってしまう。ユーザの利便性を向上するためには、ファンの故障が検出された後も、可能な限り食器洗い乾燥機の運転を可能とすることが好ましい。
【０００５】
洗浄工程においては、ヒータで加熱されて高温となった水を噴射して食器を洗浄する。このため、食器を収容している洗浄槽の内部には、高温の蒸気が充満する。仮に、ファンがＯＮ故障した状態で、通常通りに洗浄工程を実施すると、洗浄槽の内部の高温の蒸気がファンによる送風のために食器洗い乾燥機の外部に放出されて、安全性の面で問題を生じてしまう。安全性を確保しつつ、ユーザの利便性を向上することが可能な技術が期待されている。
【課題を解決するための手段】
【０００６】
本明細書は、食器洗い乾燥機を開示する。その食器洗い乾燥機は、洗浄工程と乾燥工程を実施可能である。その食器洗い乾燥機は、洗浄槽と、洗浄槽の内部の水または空気を加熱するヒータと、洗浄槽の外部から洗浄槽の内部へ連通する吸気経路と、洗浄槽の内部から食器洗い乾燥機の外部へ連通する排気経路と、吸気経路に設けられたファンを備えている。その食器洗い乾燥機は、洗浄工程では、ヒータで加熱された水を噴射して食器を洗浄する。その食器洗い乾燥機は、乾燥工程では、ヒータで加熱された空気をファンで送風して食器を乾燥させる。その食器洗い乾燥機は、ファンのＯＮ故障が検出された場合に、ヒータの加熱能力を低減させた状態で洗浄工程を実施可能とする。
【０００７】
上記の食器洗い乾燥機によれば、ファンのＯＮ故障が検出された後、故障したファンの修理・交換が行われる前であっても、ユーザは食器の洗浄を行うことが可能となる。上記の食器洗い乾燥機では、ファンのＯＮ故障が検出された場合に、ヒータの加熱能力を低減させた状態で洗浄工程を実施可能とするため、食器洗い乾燥機の外部へ高温の蒸気が放出されてしまうことを防ぐことができる。安全性を確保しつつ、ユーザの利便性を向上することができる。なお、ヒータの加熱能力を低減させた状態とは、通常の洗浄工程に比べてヒータの出力が低い状態を意味しており、ヒータの出力を小さくした状態で洗浄工程を行ってもよいし、ヒータによる加熱を全く行わずに洗浄工程を行ってもよい。また、ここでいう洗浄工程は、洗剤が混入された水（洗浄水）を食器に噴射するものであってもよいし、洗剤が混入されていない水（すすぎ水）を食器に噴射するものであってもよい。
【０００８】
上記の食器洗い乾燥機は、ファンのＯＮ故障が検出された場合に、洗浄工程の回数および／または時間を増加させた状態で洗浄工程を実施可能とするように構成することができる。
【０００９】
ヒータの加熱能力を低減させた状態で洗浄工程を行うと、通常通りに洗浄工程を行う場合に比べて、食器の洗浄能力が低下してしまうことが懸念される。上記のように、洗浄工程の回数および／または時間を増加させた状態で洗浄工程を実施することで、ヒータの加熱能力を低減させた場合であっても、食器の洗浄能力が低下してしまうことを防ぐことができる。
【００１０】
上記の食器洗い乾燥機は、ファンのＯＮ故障が検出された場合に、乾燥工程を通常通り実施可能とするように構成することができる。
【００１１】
ファンがＯＮ故障していても、乾燥工程は問題なく実施できる場合が多い。上記の食器洗い乾燥機によれば、ファンのＯＮ故障が検出された後、故障したファンの修理・交換が行われる前であっても、ユーザは食器の洗浄と乾燥の両方を行うことができる。
【００１２】
上記の食器洗い乾燥機は、ファンのＯＦＦ故障が検出された場合に、乾燥工程を実施不能とするように構成することができる。
【００１３】
ファンがＯＦＦ故障した状態で、乾燥工程を通常通りに実施すると、ヒータの周辺の部材が過熱されてしまい、損傷するおそれがある。上記の食器洗い乾燥機によれば、ファンのＯＦＦ故障が検出された場合に、乾燥工程を実施不能としているため、ヒータの周辺の部材が過熱されて損傷してしまうことを防ぐことができる。
【発明の効果】
【００１４】
本明細書が開示する食器洗い乾燥機によれば、安全性を確保しつつ、ユーザの利便性を向上することができる。
【図面の簡単な説明】
【００１５】
【図１】実施例の食器洗い乾燥機１０の構成を模式的に示す縦断面図。
【図２】実施例の食器洗い乾燥機１０の運転動作を示すフローチャート。
【図３】実施例の食器洗い乾燥機１０における乾燥ファン５２のＯＮ故障およびＯＦＦ故障の検知動作を示すフローチャート。
【図４】実施例の食器洗い乾燥機１０の別の運転動作を示すフローチャート。
【発明を実施するための形態】
【００１６】
（実施例）
以下では実施例に係る食器洗い乾燥機について、図面を参照しながら説明する。図１は、食器洗い乾燥機１０の縦断面図である。食器洗い乾燥機１０は、引き出し式の食器洗浄機である。食器洗い乾燥機１０は、本体１２と洗浄槽１４と扉１５を備えている。
【００１７】
扉１５には、操作パネル１６と排気経路１８が設けられている。操作パネル１６には、スタートボタン等の各種のボタンやランプ等が設けられている。排気経路１８は、洗浄槽１４の内側から外側に達している。排気経路１８の洗浄槽１４の外側の端は、扉１５の前面（図１の左側）に位置し、扉１５の前面には、排気口１８ｂが設けられている。排気経路１８の洗浄槽１４側の端には、開口１８ａが設けられている。排気経路１８には、排気ダンパー１７が設けられている。
【００１８】
洗浄槽１４は、本体１２と扉１５で形成される空間に収容されている。洗浄槽１４は、本体１２にスライド可能に支持されている。洗浄槽１４は、本体１２に対して前後方向（図１の左右方向）にスライド可能である。洗浄槽１４は、扉１５に連結されている。扉１５を前方（図１の左方向）へ引き出すと、扉１５とともに洗浄槽１４が引き出される。洗浄槽１４は、その上端に開口１４ａが形成されている。洗浄槽１４には、洗浄ノズル２０、食器かご６１等が収容されている。食器かご６１には、種々の食器１９が保持される。
【００１９】
洗浄槽１４の上方には、蓋５６が配置されている。蓋５６は、図示しない昇降機構によって洗浄槽１４と連結されている。扉１５が閉じられた状態（洗浄槽１４が本体１２に収容されている状態）では、蓋５６は降下して洗浄槽１４の開口１４ａに密着して蓋をする。洗浄槽１４が本体１２から引き出されると、蓋５６は上昇して洗浄槽１４の開口１４ａを開放する。
【００２０】
洗浄槽１４の底面３９には、吸込凹部３１が形成されている。底面３９の下方には、洗浄ポンプ２７が設けられている。洗浄ポンプ２７は、内蔵する電気モータによってインペラ２８を回転する。洗浄ポンプ２７は、インペラ２８を順方向に回転することもできるし、逆方向に回転することもできる。インペラ２８が配置されている空間と吸込凹部３１は、吸込流路３２によって連通されている。洗浄ポンプ２７がインペラ２８を順方向に回転すると、吸込凹部３１から吸込流路３２を介して洗浄ノズル２０に送水する。洗浄ノズル２０は、送出された水を洗浄槽１４内で噴射する。
【００２１】
洗浄ポンプ２７が配置されている底面３９の上方には、電気式のヒータ３０が装着されている。ヒータ３０の下方には、サーミスタ５５が配置されている。サーミスタ５５は、洗浄槽１４に水が入れられているときには水の温度を検出し、水が入れられていないときには洗浄槽１４内の空気の温度を検出する。
【００２２】
洗浄槽１４の前部外側の下部には、水位検出器４５が設けられている。水位検出器４５は、水位室４６、フロート４７、バー４８、スイッチ４９を有している。水位室４６は、水位経路４４によって吸込凹部３１と連通されている。フロート４７は、水位室４６内に配置されている。バー４８は、フロート４７に固定されており、水位室４６から上方に突出している。スイッチ４９は、バー４８の上方に配置されている。洗浄槽１４に給水されると、その水は水位経路４４を通って水位室４６に導入される。水位室４６の水位は、洗浄槽１４の水位の上昇に伴って上昇する。フロート４７は、水位室４６の水位の上昇に伴って上昇する。フロート４７が上昇して、バー４８の上端がスイッチ４９と接触すると、スイッチ４９から後述するコントローラ６０に信号が送信される。
【００２３】
本体１２の後方壁３３（図１の右側の壁）には、排水ホース３４が接続されている。排水ホース３４は、排水流路３６を介して洗浄槽１４の底部と連通している。洗浄ポンプ２７は、インペラ２８を逆方向に回転することによって、洗浄槽１４内の水を排水ホース３４に送出する。
【００２４】
また、本体１２の後方壁３３には、給水ホース４０の一端が接続されている。給水ホース４０の他端は、給水管８８に接続される。給水ホース４０の一端は、第１給水流路４２を介して本体１２内部の給水弁４１に接続されている。給水弁４１は、内蔵するソレノイドに駆動されて開閉する。給水弁４１が開かれると洗浄槽１４内に給水され、給水弁４１が閉じられると洗浄槽１４内への給水が停止される。給水弁４１と洗浄槽１４の間は、第２給水流路４３によって連通されている。
【００２５】
本体１２の後方壁３３と洗浄槽１４の後方壁５１の間には、吸気経路６３が形成されている。吸気経路６３は、洗浄槽１４の外側から内側に達している。吸気経路６３には、乾燥ファン５２が配置されている。乾燥ファン５２は、内蔵するモータでファン５３を回転駆動する。乾燥ファン５２のモータには、一定の電力が供給される。乾燥ファン５２は、吸気経路６３を介して洗浄槽１４と接続されている。吸気経路６３の洗浄槽１４側には、開口６３ａが形成されている。乾燥ファン５２には、ファン５３の回転数を検知する回転数センサ５０が設置されている。
【００２６】
食器洗い乾燥機１０の前方には、コントローラ６０が装着されている。コントローラ６０には、操作パネル１６、洗浄ポンプ２７、ヒータ３０、給水弁４１、スイッチ４９、回転数センサ５０、乾燥ファン５２、サーミスタ５５等が接続されている。コントローラ６０は、内蔵するＣＰＵ、ＲＯＭ、ＲＡＭ、ＥＥＰＲＯＭ等によって、接続されている各構成要素の動作を制御する。コントローラ６０には、乾燥ファン５２がＯＮ故障していることを示すＯＮ故障フラグと、ＯＦＦ故障していることを示すＯＦＦ故障フラグが、それぞれ記憶されている。また、コントローラ６０は、タイマを内蔵している。
【００２７】
以下では図２を参照しながら、食器洗い乾燥機１０の動作について説明する。ユーザによって操作パネル１６のスタートスイッチが押下されると、コントローラ６０はステップＳ２以降の処理を実施する。
【００２８】
ステップＳ２では、コントローラ６０は、乾燥ファン５２がＯＮ故障しているか否かを判断する。食器洗い乾燥機１０の以前の運転において、乾燥ファン５２のＯＮ故障がすでに検出されている場合は、コントローラ６０が記憶しているＯＮ故障フラグから、乾燥ファン５２がＯＮ故障していると判断される。また、ＯＮ故障フラグが乾燥ファン５２のＯＮ故障を示していない場合、コントローラ６０は、乾燥ファン５２を駆動していない状態で、回転数センサ５０で回転数が検出されるか否かを判断する。乾燥ファン５２を駆動していない状態で、回転数センサ５０で回転数が検出される場合、コントローラ６０は乾燥ファン５２がＯＮ故障していると判断する。
【００２９】
ステップＳ２で乾燥ファン５２がＯＮ故障していないと判断される場合（ＮＯの場合）、処理はステップＳ４へ進む。ステップＳ４では、コントローラ６０は、通常の洗浄工程を行う。本実施例の食器洗い乾燥機１０において、洗浄工程では、１回の洗浄動作と、複数回のすすぎ動作を行う。洗浄動作では、コントローラ６０は、まず給水弁４１を開いて洗浄槽１４内に給水する。水位検出器４５のスイッチ４９がＯＮになると、コントローラ６０は、給水弁４１を閉じて給水を停止する。そして、コントローラ６０は、図示しない洗剤投入機構を駆動して洗浄槽１４内の水に洗剤を投入した後、ヒータ３０によって洗浄水の加熱を行いながら、洗浄ポンプ２７を順方向に回転駆動する。これによって、洗浄ノズル２０から高温の洗浄水が噴射され、洗浄槽１４内の食器１９が洗浄される。洗浄動作の開始から所定時間が経過すると、コントローラ６０は、ヒータ３０による洗浄水の加熱を停止して、洗浄ポンプ２７を停止する。その後、コントローラ６０は、洗浄ポンプ２７を逆方向に回転駆動して、洗浄槽１４内の洗浄水を排出する。
【００３０】
すすぎ動作では、コントローラ６０は、まず給水弁４１を開いて洗浄槽１４内に給水する。水位検出器４５のスイッチ４９がＯＮになると、コントローラ６０は、給水弁４１を閉じて給水を停止する。そして、コントローラ６０は、洗浄ポンプ２７を順方向に回転駆動する。これによって、洗浄ノズル２０からすすぎ水が噴射され、洗浄槽１４内の食器１９のすすぎが行われる。すすぎ動作の開始から所定時間が経過すると、コントローラ６０は、洗浄ポンプ２７を停止する。その後、コントローラ６０は、洗浄ポンプ２７を逆方向に回転駆動して、洗浄槽１４内のすすぎ水を排出する。
【００３１】
上記のすすぎ動作は複数回にわたって行われるが、最後に行われるすすぎ動作では、コントローラ６０は、洗浄ポンプ２７を駆動して洗浄ノズル２０からすすぎ水を噴射する際に、ヒータ３０によるすすぎ水の加熱も行う。これにより、高温のすすぎ水による食器１９のすすぎが行われる。ステップＳ４の後、処理はステップＳ１０へ進む。
【００３２】
ステップＳ２で乾燥ファン５２がＯＮ故障していると判断される場合（ＹＥＳの場合）、処理はステップＳ６へ進む。ステップＳ６では、コントローラ６０は、乾燥ファン５２がＯＮ故障していることを、操作パネル１６を介してユーザに報知する。ユーザへの報知は、例えばＬＥＤの発光や液晶画面への表示によって行ってもよいし、ブザーやスピーカによって警告音声を発することで行ってもよい。この報知は、サービスマンによって乾燥ファン５２の修理・交換が行われるまで、継続的に行われる。ステップＳ６の後、処理はステップＳ８へ進む。
【００３３】
ステップＳ８では、コントローラ６０は、ヒータ３０の加熱能力を低減させた状態で、洗浄工程を行う。ヒータ３０の加熱能力を低減させた状態とは、ステップＳ４の通常の洗浄工程に比べて、ヒータ３０の出力が低い状態を意味する。ヒータ３０による洗浄水やすすぎ水の加熱を全く行わない場合も、ヒータ３０の加熱能力を低減させた状態に含まれる。これによって、排気経路１８の排気口１８ｂから食器洗い乾燥機１０の外部へ高温の蒸気が放出されてしまうことを防ぐことができる。
【００３４】
本実施例では、ステップＳ８の洗浄工程でも、ステップＳ４の洗浄工程と同様に、コントローラ６０は、１回の洗浄動作と、複数回のすすぎ動作を行う。しかしながら、ステップＳ８の洗浄工程では、ステップＳ４の洗浄工程に比べて、ヒータ３０の加熱能力が低減されており、使用する洗浄水やすすぎ水が低温となるため、洗浄動作の回数および／または継続時間や、すすぎ動作の回数および／または継続時間を増大させてもよい。これによって、ヒータ３０の加熱能力を低減させた状態であっても、必要とされる洗浄能力を確保することができる。ステップＳ８の後、処理はステップＳ１０へ進む。
【００３５】
ステップＳ１０では、コントローラ６０は、乾燥ファン５２がＯＦＦ故障しているか否かを判断する。食器洗い乾燥機１０の以前の運転において、乾燥ファン５２のＯＦＦ故障がすでに検出されている場合は、コントローラ６０のＯＦＦ故障フラグから、乾燥ファン５２がＯＦＦ故障していると判断される。また、ＯＦＦ故障フラグが乾燥ファン５２のＯＦＦ故障を示していない場合、コントローラ６０は、乾燥ファン５２を駆動した状態で、回転数センサ５０で回転数が検出されるか否かを判断する。乾燥ファン５２を駆動した状態で、回転数センサ５０で回転数が検出されない場合、コントローラ６０は乾燥ファン５２がＯＦＦ故障していると判断する。
【００３６】
ステップＳ１０で乾燥ファン５２がＯＦＦ故障していないと判断される場合（ＮＯの場合）、処理はステップＳ１２へ進む。ステップＳ１２では、コントローラ６０は、乾燥工程を行う。乾燥工程では、コントローラ６０は、ヒータ３０によって洗浄槽１４内の空気を加熱しながら、乾燥ファン５２を駆動する。これによって、洗浄槽１４内の食器１９に温風があたり、食器１９が乾燥する。乾燥工程の開始から所定時間が経過すると、コントローラ６０は、ヒータ３０による加熱を停止し、乾燥ファン５２を停止して、乾燥工程を終了する。ステップＳ１２の後、食器洗い乾燥機１０は運転を終了する。
【００３７】
ステップＳ１０で乾燥ファン５２がＯＦＦ故障していると判断される場合（ＹＥＳの場合）、ステップＳ１２の乾燥工程を行うことなく、食器洗い乾燥機１０は運転を終了する。
【００３８】
仮に、乾燥工程において、乾燥ファン５２がＯＦＦ故障した状態で、ヒータ３０による加熱を行った場合、ヒータ３０の周辺の部材が過熱されてしまい、損傷するおそれがある。そこで、本実施例の食器洗い乾燥機１０では、乾燥ファン５２がＯＦＦ故障している場合に、コントローラ６０は、洗浄工程は行うものの、乾燥工程は行わないようにする。このような構成とすることによって、乾燥ファン５２がＯＦＦ故障した場合に、乾燥工程を実施してヒータ３０の周辺の部材が損傷してしまうことを防ぐことができる。
【００３９】
（別の実施形態）
図１の食器洗い乾燥機１０が、回転数センサ５０を備えていない場合であっても、乾燥ファン５２のＯＮ故障およびＯＦＦ故障を検知することは可能である。以下では、図３を参照しながら、回転数センサ５０を備えていない食器洗い乾燥機１０における、乾燥ファン５２のＯＮ故障およびＯＦＦ故障の検知動作について説明する。ユーザによって操作パネル１６のスタートスイッチが押下されると、コントローラ６０はステップＳ２２以降の処理を実施する。
【００４０】
ステップＳ２２では、コントローラ６０は、給水弁４１を開いて、洗浄槽１４内への給水を開始する。
【００４１】
ステップＳ２４では、コントローラ６０は、乾燥ファン５２を駆動する。
【００４２】
ステップＳ２６では、コントローラ６０は、水位検出器４５のスイッチ４９がＯＮになるまで待機する。水位検出器４５のスイッチ４９がＯＮになると、処理はステップＳ２８へ進む。
【００４３】
ステップＳ２８では、コントローラ６０は、給水弁４１を閉じて、洗浄槽１４内への給水を終了する。
【００４４】
ステップＳ３０では、コントローラ６０は、乾燥ファン５２の駆動を停止する。
【００４５】
ステップＳ３２では、コントローラ６０は、水位検出器４５のスイッチ４９がＯＦＦになったか否かを判断する。
【００４６】
ステップＳ２２からステップＳ３０の処理をコントローラ６０が行う際に、乾燥ファン５２が故障していない場合には、洗浄槽１４内への給水中、乾燥ファン５２の駆動によって洗浄槽１４内の空気の圧力が高まり、洗浄槽１４内の水位が下降するとともに、水位検出器４５の水位室４６の水位が上昇する。この状態で、水位検出器４５のスイッチ４９がＯＮになった後、コントローラ６０が乾燥ファン５２の駆動を停止すると、洗浄槽１４内の空気の圧力が低下し、洗浄槽１４内の水位が上昇するとともに、水位検出器４５の水位室４６の水位が下降する。このため、乾燥ファン５２が故障していない場合には、ステップＳ３０の後、水位検出器４５のスイッチ４９はＯＦＦに切り換わる。
【００４７】
ステップＳ２２からステップＳ３０の処理をコントローラ６０が行う際に、乾燥ファン５２がＯＮ故障している場合には、洗浄槽１４内への給水中、乾燥ファン５２の駆動によって洗浄槽１４内の空気の圧力が高まり、洗浄槽１４内の水位が下降するとともに、水位検出器４５の水位室４６の水位が上昇する。この状態で、水位検出器４５のスイッチ４９がＯＮになった後、コントローラ６０が乾燥ファン５２の駆動を停止しても、乾燥ファン５２がＯＮ故障しているので、洗浄槽１４内の空気の圧力はそのまま維持され、洗浄槽１４内の水位および水位検出器４５の水位室４６の水位は変化しない。このため、乾燥ファン５２がＯＮ故障している場合には、ステップＳ３０の後、水位検出器４５のスイッチ４９はＯＮのまま維持される。
【００４８】
ステップＳ２２からステップＳ３０の処理をコントローラ６０が行う際に、乾燥ファン５２がＯＦＦ故障している場合には、洗浄槽１４内への給水中、乾燥ファン５２が駆動しないため、洗浄槽１４内の水位と、水位検出器４５の水位室４６の水位は同じものとなる。この状態で、水位検出器４５のスイッチ４９がＯＮになった後、コントローラ６０が乾燥ファン５２の駆動を停止しても、洗浄槽１４内の水位および水位検出器４５の水位室４６の水位は変化しない。このため、乾燥ファン５２がＯＦＦ故障している場合には、ステップＳ３０の後、水位検出器４５のスイッチ４９はＯＮのまま維持される。
【００４９】
以上のことから、ステップＳ３２で水位検出器４５のスイッチ４９がＯＦＦの場合（ＹＥＳの場合）には、コントローラ６０は、乾燥ファン５２がＯＮ故障もＯＦＦ故障もしていないものと判断する。この場合、コントローラ６０は、図３の処理を終了して、図２のステップＳ４に示す洗浄工程と、ステップＳ１２に示す乾燥工程を順に実施する。
【００５０】
図３のステップＳ３２で水位検出器４５のスイッチ４９がＯＮの場合（ＮＯの場合）、コントローラ６０は、乾燥ファン５２がＯＮ故障かＯＦＦ故障のいずれかを生じていると判断する。この場合、処理はステップＳ３４へ進む。
【００５１】
ステップＳ３４では、コントローラ６０は、ステップＳ２２で給水を開始してからステップＳ２８で給水を停止するまでに要した時間（給水時間）が、所定のしきい値を超えるか否かを判断する。仮に乾燥ファン５２がＯＮ故障している場合には、ステップＳ２２からステップＳ２８までの給水中、洗浄槽１４内の空気の圧力が高まり、洗浄槽１４内の水位が下降するとともに、水位検出器４５の水位室４６の水位が上昇している。このため、給水を開始してから水位検出器４５のスイッチ４９がＯＮになるまでの時間は短いものとなる。これに対して、仮に乾燥ファン５２がＯＦＦ故障している場合には、ステップＳ２２からステップＳ２８までの給水中、洗浄槽１４内の空気の圧力は変化せず、洗浄槽１４内の水位と水位室４６内の水位は同じものとなる。このため、給水を開始してから水位検出器４５のスイッチ４９がＯＮになるまでの時間は長いものとなる。
【００５２】
以上のことから、ステップＳ３４で給水時間がしきい値を超える場合（ＹＥＳの場合）、処理はステップＳ３６へ進み、コントローラ６０は、乾燥ファン５２がＯＦＦ故障しているものと判断する。ステップＳ３６の後、コントローラ６０は、図３の処理を終了して、図２のステップＳ４に示す洗浄工程を実施した後、ステップＳ１４に示すユーザへの報知を行う。
【００５３】
ステップＳ３４で給水時間がしきい値を超えていない場合（ＮＯの場合）、処理はステップＳ３８へ進み、コントローラ６０は、乾燥ファン５２がＯＮ故障しているものと判断する。ステップＳ３８の後、コントローラ６０は、図３の処理を終了して、図２のステップＳ６に示すユーザへの報知と、ステップＳ８に示すヒータ３０の加熱能力を低減した状態での洗浄工程と、ステップＳ１２に示す乾燥工程を順に実施する。
【００５４】
（さらに別の実施形態）
図３に示す例では、コントローラ６０は、洗浄槽１４内への給水時間の長さに応じて、乾燥ファン５２のＯＮ故障とＯＦＦ故障を判別しているが、乾燥ファン５２のＯＮ故障とＯＦＦ故障を区別することなく、その後の運転を行うことも可能である。以下では、図４を参照しながら、回転数センサ５０を備えていない食器洗い乾燥機１０の動作を説明する。ユーザによって操作パネル１６のスタートスイッチが押下されると、コントローラ６０はステップＳ４２以降の処理を実施する。
【００５５】
ステップＳ４２では、コントローラ６０は、給水弁４１を開いて、洗浄槽１４内への給水を開始する。
【００５６】
ステップＳ４４では、コントローラ６０は、乾燥ファン５２を駆動する。
【００５７】
ステップＳ４６では、コントローラ６０は、水位検出器４５のスイッチ４９がＯＮになるまで待機する。水位検出器４５のスイッチ４９がＯＮになると、処理はステップＳ４８へ進む。
【００５８】
ステップＳ４８では、コントローラ６０は、給水弁４１を閉じて、洗浄槽１４内への給水を終了する。
【００５９】
ステップＳ５０では、コントローラ６０は、乾燥ファン５２の駆動を停止する。
【００６０】
ステップＳ５２では、コントローラ６０は、水位検出器４５のスイッチ４９がＯＦＦになったか否かを判断する。水位検出器４５のスイッチ４９がＯＦＦの場合（ＹＥＳの場合）には、コントローラ６０は、乾燥ファン５２がＯＮ故障もＯＦＦ故障もしていないものと判断する。この場合、処理はステップＳ５４へ進んで、コントローラ６０は、図２のステップＳ４に示すものと同様の洗浄工程を実施する。その後、処理はステップＳ５６へ進んで、コントローラ６０は、図２のステップＳ１２に示すものと同様の乾燥工程を実施する。
【００６１】
ステップＳ５２で水位検出器４５のスイッチ４９がＯＮの場合（ＮＯの場合）には、コントローラ６０は、乾燥ファン５２がＯＮ故障かＯＦＦ故障のいずれかを生じていると判断して、処理はステップＳ５８へ進む。この場合、コントローラ６０は、乾燥ファン５２がＯＮ故障していてもＯＦＦ故障していても問題が生じないように、その後の運転を行う。すなわち、洗浄工程に関しては、乾燥ファン５２がＯＮ故障していても問題が生じないように、ヒータ３０の加熱能力を低減した状態で実施可能とする。乾燥工程に関しては、乾燥ファン５２がＯＦＦ故障していても問題が生じないように、実施不能とする。
【００６２】
ステップＳ５８では、コントローラ６０は、乾燥ファン５２が故障していることを、操作パネル１６を介してユーザに報知する。その後、処理はステップＳ６０へ進み、コントローラ６０は、図２のステップＳ８に示すものと同様に、ヒータ３０の加熱能力を低減させた状態で洗浄工程を行う。その後、コントローラ６０は、乾燥工程を行わずに、処理を終了する。
【００６３】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００６４】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６５】
１０  食器洗い乾燥機
１２  本体
１４  洗浄槽
１４ａ  開口
１５  扉
１６  操作パネル
１７  排気ダンパー
１８  排気経路
１８ａ  開口
１８ｂ  排気口
１９  食器
２０  洗浄ノズル
２７  洗浄ポンプ
２８  インペラ
３０  ヒータ
３１  吸込凹部
３２  吸込流路
３３  後方壁
３４  排水ホース
３６  排水流路
３９  底面
４０  給水ホース
４１  給水弁
４２  第１給水流路
４３  第２給水流路
４４  水位経路
４５  水位検出器
４６  水位室
４７  フロート
４８  バー
４９  スイッチ
５０  回転数センサ
５１  後方壁
５２  乾燥ファン
５３  ファン
５５  サーミスタ
５６  蓋
６０  コントローラ
６３  吸気経路
６３ａ  開口
８８  給水管
【図１】
0005923481.tif 000002
【図２】
0005923481.tif 000003
【図３】
0005923481.tif 000004
【図４】
0005923481.tif 000005